(57)【要約】  【課題】折り畳み式携帯無線装置を開いた状態と閉じた状態とでアンテナの回路構成を切り換え、それぞれの状態に適した特性のアンテナを有する装置を提供する。  【解決手段】第一のケースと、前記第一のケースが折り畳み可能に連結される第二のケースとから成り、前記第一のケース内に第一のパターンアンテナを有し、前記第二のケース内に第二のパターンアンテナを有する折り畳み式無線装置において、第一のパターンアンテナに第一の接点を有し、前記第一のケースが前記第二のケースに折り畳まれた状態において、前記第二のパターンアンテナの前記第一の接点に対向する位置に第二の接点を有し、前記第一のケースが前記第二のケースに折り畳まれた場合に、前記第一の接点と前記第二の接点とが電気的に接触する。  【選択図】図１
2005175707.tif 000002
【特許請求の範囲】
【請求項１】
第一のケースと、前記第一のケースが折り畳み可能に連結される第二のケースとから成り、前記第一のケース内に第一のパターンアンテナを有し、前記第二のケース内に第二のパターンアンテナを有する折り畳み式無線装置において、
第一のパターンアンテナに第一の接点を有し、
前記第一のケースが前記第二のケースに折り畳まれた状態において、前記第二のパターンアンテナの前記第一の接点に対向する位置に第二の接点を有し、
前記第一のケースが前記第二のケースに折り畳まれた場合に、前記第一の接点と前記第二の接点とが電気的に接触することを特徴とする折り畳み式無線装置。
【請求項２】
請求項１に記載の無線装置であって、
該無線装置はさらに、第一のパターンアンテナと第一の接点との間、または第二のパターンアンテナと第二の接点との間に回路要素を有することを特徴とする無線装置。
【請求項３】
請求項１に記載の無線装置であって、
該無線装置はさらに、第一の接点と第二の接点との電気的接触を検出する手段と整合回路と給電回路の切換手段とを有し、
第一の接点と第二の接点との電気的接触を検出した場合に給電回路を切り換え、給電回路とパターンアンテナとの間に整合回路を介在させることを特徴とする無線装置。
【発明の詳細な説明】
【技術分野】
【０００１】
本発明は折り畳み式無線装置に関し、特に、当該無線装置アンテナが、無線装置を開いた状態では無線装置を開いた状態に合わせた特性を有し、無線装置を閉じた状態では無線装置を開いた場合とは異なる、無線装置を閉じた状態に合わせた特性となるように構成したアンテナを有する無線装置に関する。
【背景技術】
【０００２】
図６は、従来のパターンアンテナを有する折り畳み式無線装置、例えば携帯電話機を開いた状態の概略構成の透視図を示し、図７は、図６を横から見た断面透視図を示す。また、図８は携帯電話機を閉じた状態での断面透視図を示す。
【０００３】
従来のパターンアンテナは、ヒンジ部３により折り畳み可能に構成されたケース１に内蔵され、図６左側の第一のケース内に実装された多層プリント基板２の内層に構成された第一のパターンアンテナ８と、右側の第二のケース内に実装された多層プリント基板２’の内層に構成された第二のパターンアンテナ８’とから成る。
【０００４】
各パターンアンテナは、コネクタ９、およびコネクタ９’を介し、フレキシブル基板４により電気的に接続され、さらに、第一のパターンアンテナ８上の給電点７と、第二のパターンアンテナ８’上の、給電点７に対応する点７’とが、ケーブル６により接続されている。
【０００５】
しかし、このような構成からなるパターンアンテナは、携帯電話機を閉じた状態ではヒンジ部３近傍の電界が相殺され、アンテナ放射特性が極端に劣化するという問題がある。
【０００６】
図９は、このような携帯電話機を閉じた状態における表面電流分布のシミュレーション結果を示す。このシミュレーション図では、明るい部分に電流が流れていることを示すが、表面電流は、図左側の、給電点７近傍に集中し、良好なアンテナ放射特性ではない。
【０００７】
図１０は、図９に示す携帯電話機のアンテナ放射パターン（上は、図８における上方向への放射パターン、下は、横方向への放射パターン）のシミュレーション結果を示す。図中のアンテナ放射効率は、同周波数（８００ＭＨｚ）におけるダイポールアンテナの放射特性に対する値を示し、−７．３ｄＢと劣化している。
【０００８】
このような状況に対応するため、携帯電話機が開いた状態と閉じた状態の両方に対応する技術が開示されている（特許文献１、特許文献２参照）。
【特許文献１】特開平１１−３１７６１０号公報
【特許文献２】特開２０００−２１６６１１号公報  掲記特許文献の方法では、携帯電話が開いた状態と閉じた状態との間で、例えば蝶番機構にあるカムによって、あるいは電子スイッチによってアンテナの回路構成を切り換える。
【０００９】
しかし、この方法では、蝶番機構内にカム（スイッチ）、あるいは電子スイッチを組み込む必要があり、構造が複雑に成る。
【発明の開示】
【発明が解決しようとする課題】
【００１０】
本発明は、簡単な構造で折り畳み式携帯無線装置を開いた状態と閉じた状態とでアンテナの回路構成を切り換え、それぞれの状態に適した特性のアンテナを有する装置を提供することを目的とする。
【課題を解決するための手段】
【００１１】
第一の発明は、第一のケースと、前記第一のケースが折り畳み可能に連結される第二のケースとから成り、前記第一のケース内に第一のパターンアンテナを有し、前記第二のケース内に第二のパターンアンテナを有する折り畳み式無線装置において、第一のパターンアンテナに第一の接点を有し、前記第一のケースが前記第二のケースに折り畳まれた状態において、前記第二のパターンアンテナの前記第一の接点に対向する位置に第二の接点を有し、前記第一のケースが前記第二のケースに折り畳まれた場合に、前記第一の接点と前記第二の接点とが電気的に接触することを特徴とする。
第二の発明は、第一の発明に記載の無線装置であって、該無線装置はさらに、第一のパターンアンテナと第一の接点との間、または第二のパターンアンテナと第二の接点との間に回路要素を有することを特徴とする。
【００１２】
第三の発明は、第一の発明に記載の無線装置であって、該無線装置はさらに、第一の接点と第二の接点との電気的接触を検出する手段と整合回路と給電回路の切換手段とを有し、第一の接点と第二の接点との電気的接触を検出した場合に給電回路を切り換え、給電回路とパターンアンテナとの間に整合回路を介在させることを特徴とする。
【発明の効果】
【００１３】
携帯電話機を閉じた場合に、第一のパターンアンテナ上の第一の接点と第二のパターンアンテナ上の第二の接点とが電気的に接触することにより、電界分布と表面電流分布とを変化させ、アンテナ放射効率を改善することが可能となる。
【００１４】
また、携帯電話機を閉じた場合に、第一のパターンアンテナと第二のパターンアンテナとを回路要素を介在させることが可能となり、携帯電話機を閉じた状態でのアンテナ放射効率改善が可能となる。
【００１５】
さらに、携帯電話機を閉じた場合に給電回路を切り換え、給電回路とパターンアンテナとの間に整合回路を介在させることが可能となり、携帯電話機を閉じた状態でのアンテナ放射効率の改善が可能となる。
【発明を実施するための最良の形態】
【００１６】
第一のケースの下端近傍に、第一のパターンアンテナに接続した第一の接点を露出させ、第一のケースが第二のケースに折り畳まれた状態で、第二のパターンアンテナ上の、第一のパターンアンテナ上の第一の接点に対向する位置に、第二のパターンアンテナに接続した第二の接点を露出させ、第一のケースが第二のケースに折り畳まれた場合に、第一の接点と第二の接点とが電気的に接触するように構成する。
【００１７】
なお、各接点のパターンアンテナ上の位置は、下端近傍に限定されるものではなく、シミュレーションあるいは理論解析により最適位置を求めて定めてもよい。
【実施例１】
【００１８】
図１は、図６に示す従来例と対応させた、本発明の実施例１の折り畳み式携帯電話機を開いた状態の概略構成の透視図を示し、図２は、図１を横から見た断面透視図を示す。また、図３は携帯電話機を閉じた状態での断面透視図を示す。
【００１９】
図１において、左側の第一のケース内に実装された多層プリント基板２の内層に構成された第一のパターンアンテナ８の下端（図では左端）近傍に、第一のパターンアンテナ８に接続した第一の接点１２を設ける。なお、第一のケースの、第一の接点１２部分は空孔とし、第一の接点１２を露出させる。
【００２０】
さらに、前記第一のケースが右側の第二のケースに折り畳まれた状態で、第二のケース内に実装された多層プリント基板２’の内層に構成された第二のパターンアンテナ８’上の、前記第一のパターンアンテナ８上の前記第一の接点１２に対向する位置に、前記第二のパターンアンテナ８’に接続し、図２に明示する導電性の突起５を有する第二の接点１２’を露出させる。
【００２１】
なお、突起５は第一の接点１２側、あるいは両方の接点に設けても良い。さらに、突起５、及び接点は、導電性ゴム等の弾性体としてもよい。
【００２２】
図４は、実施例１の携帯電話機を閉じた状態での表面電流分布のシミュレーション結果を示す。図４においては、表面電流が図右側まで広がっており、図９に示す従来例と比較して改善されている。
【００２３】
図５は、実施例１の携帯電話機を閉じた場合のアンテナ放射パターン（上は、図３における上方向への放射パターン、下は、横方向への放射パターン）のシミュレーション結果を示す。図中のアンテナ放射効率は、−３．６ｄＢとなり、図１０に示す従来例より３．７ｄＢ（約２．３倍）改善されている。
【実施例２】
【００２４】
図１１は、実施例２の折り畳み式携帯電話機の、第二のケース部分の拡大透視図を示す。実施例２の第一のケースは、実施例１と同様である。実施例２においては、第二のケースのプリント基板２’上の導体層１０’と、第二の接点１２’との間に、灰色で示したごとく、導体層を取り除いた部分１５で囲んで形成したコイル１４を備える。
【００２５】
実施例２の携帯電話機を閉じた状態では、第一のパターンアンテナと第二のパターンアンテナとはコイル１４を介して接続される。
【００２６】
携帯電話機のパターンアンテナは、携帯電話機を開いた状態で長さがλ／２となることが望ましい。この為、携帯電話機は、折り畳んだ状態ではほぼλ／４の長さとなり、実施例１では最適な接点位置が得られない場合がある。実施例２におけるコイル１４は、携帯電話機の長さとは独立に定数を設定できるため、携帯電話機を閉じた状態におけるアンテナ特性の調整が容易となる。
【００２７】
なお、導体層１０’と第二の接点１２’との間に介在させる回路要素は、コンデンサ、あるいは分布定数回路であっても良い。
【実施例３】
【００２８】
図１２は、実施例３の折り畳み式携帯電話機のアンテナ接続例を示す。実施例３の折り畳み式携帯電話機は、実施例１の携帯電話機に加えて、第一の接点１２と第二の接点１２’との電気的接触を検出する手段（不図示）と、給電回路切替手段２１と、整合回路２２とを備える。
【００２９】
携帯電話機を開いた状態では、実施例１と同様に、給電回路２０から、給電回路切替手段２１を介して第一のパターンアンテナ８上の給電点７に給電される。
【００３０】
一方、携帯電話機を閉じ、第一の接点１２と第二の接点１２’との接触を検出すると、給電回路切替手段２１を切り換え、給電回路２０と給電点７との間に整合回路２２を介在させる。この場合の整合回路２２は、携帯電話機を開いた状態とは無関係に、携帯電話機を閉じて、第一の接点１２と第二の接点１２’とが接触した状態に適した整合回路とすることが可能であり、さらに良好なアンテナ特性が得られる。
【産業上の利用可能性】
【００３１】
本発明により、折り畳み式無線装置を閉じた状態でのアンテナ放射効率の改善が可能となる。
【図面の簡単な説明】
【００３２】
【図１】実施例１の折り畳み式携帯電話機の透視図
【図２】実施例１の携帯電話機の断面透視図
【図３】実施例１の携帯電話機を閉じた状態での断面透視図
【図４】実施例１の携帯電話機を閉じた状態での表面電流分布
【図５】実施例１の携帯電話機を閉じた状態でのアンテナ放射パターン
【図６】従来例：パターンアンテナを有する折り畳み式携帯電話機の透視図
【図７】従来例の携帯電話機の断面透視図
【図８】従来例の携帯電話機を閉じた状態での断面透視図
【図９】従来例の携帯電話機を閉じた状態での表面電流分布
【図１０】従来例の携帯電話機を閉じた状態でのアンテナ放射パターン
【図１１】実施例２の折り畳み式携帯電話機の部分拡大透視図
【図１２】実施例３のアンテナ接続例
【符号の説明】
【００３３】
１    ケース
２、２’    プリント基板
３    ヒンジ部
４    フレキシブル基板
５    導電性突起
６    給電ケーブル
７    給電点
８、８’    パターンアンテナ
９、９’    フレキシブル基板用コネクタ
１０    表面導体層
１１    ホイップアンテナ
１２、１２’    接点
１３    導電性緩衝材
１４    導体層で形成したコイル
１５    導体層を取り除いた部分
２１    給電回路切替手段
２２    整合回路
【図１】
2005175707.tif 000003
【図２】
2005175707.tif 000004
【図３】
2005175707.tif 000005
【図４】
2005175707.tif 000006
【図５】
2005175707.tif 000007
【図６】
2005175707.tif 000008
【図７】
2005175707.tif 000009
【図８】
2005175707.tif 000010
【図９】
2005175707.tif 000011
【図１０】
2005175707.tif 000012
【図１１】
2005175707.tif 000013
【図１２】
2005175707.tif 000014